(57)【要約】【課題】容易に動作速度試験を行うことのできるエレベーター用ガバナの提供。【解決手段】遠心力によりばね８ｂの復帰力に抗してガバナプーリ８ａの外径側に変位する振子８ｄと、振子８ｄの変位が第１の所定位置になったとき振子８ｄと衝突しモータ電流を遮断して乗かごを制動する接点８ｅと、振子８ｄの変位が第２の所定位置になったとき振子８ｄと衝突可能な位置に設置される保持体８ｇと、この保持体８ｇにより保持されるとともに、振子８ｄと保持体８ｇとの衝突による開放に応じてガバナロープを把持し非常止め装置を動作させるウェート８ｆとを備えたエレベーター用ガバナにおいて、振子８ｄに、回転外周方向に移動可能な錘８ｈを備え、この錘８ｈの位置を動作速度試験時に回転外周側に位置させることにより、あらかじめ定められる所定の乗かご速度以下で振子８ｄを前記第１の所定位置および前記第２の所定位置に変位可能とした。【選択図】図１
2006327708.tif 000002
【特許請求の範囲】
【請求項１】
乗かごと連動して移動するガバナロープが巻掛けられる軸支されたガバナプーリと、このガバナプーリとともに回転し所定以上の回転速度になると遠心力により復帰用付勢体の復帰力に抗して前記ガバナプーリの外径側に変位する振子と、この振子の変位が第１の所定位置になったとき、前記振子と衝突しモータ電流を遮断して前記乗かごを制動する接点と、前記振子の変位が第２の所定位置になったとき前記振子と衝突可能な位置に設置される保持体と、この保持体により保持されるとともに、前記振子と前記保持体との衝突による開放に応じて前記ガバナロープを把持し非常止め装置を動作させるウェートとを備えたエレベーター用ガバナにおいて、
前記振子に、回転外周方向に移動可能な錘を備え、この錘の位置を動作速度試験時に回転外周側に位置させることにより、あらかじめ定められる所定の乗かご速度以下で前記振子を前記第１の所定位置および前記第２の所定位置に変位可能としたことを特徴とするエレベーター用ガバナ。
【請求項２】
乗かごと連動して移動するガバナロープが巻掛けられる軸支されたガバナプーリと、このガバナプーリとともに回転し所定以上の回転速度になると遠心力により復帰用付勢体の復帰力に抗して前記ガバナプーリの外径側に変位する振子と、この振子の変位が第１の所定位置になったとき、前記振子と衝突しモータ電流を遮断して前記乗かごを制動する接点と、前記振子の変位が第２の所定位置になったとき前記振子と衝突可能な位置に設置される保持体と、この保持体により保持されるとともに、前記振子と前記保持体との衝突による開放に応じて前記ガバナロープを把持し非常止め装置を動作させるウェートとを備えたエレベーター用ガバナにおいて、
前記振子に、着脱可能な錘を備え、この錘を装着することにより、あらかじめ定められる所定の乗かご速度以下で前記振子を前記第１の所定位置および前記第２の所定位置に変位可能としたことを特徴とするエレベーター用ガバナ。
【請求項３】
動作速度試験時に装着され、前記保持体の開放による前記ウェートの落下を阻む係止体を設け、前記非常止め装置の動作を阻止することを特徴とする請求項１又は２記載のエレベーター用ガバナ。
【発明の詳細な説明】
【技術分野】
【０００１】
本発明は、エレベーター用ガバナに係り、特に、回転による遠心力で変位する振子により安全装置を動作させるエレベーター用ガバナに関する。
【背景技術】
【０００２】
エレベーターでは、乗かごの昇降速度が所定の速度を超えたときに、乗かごを緊急停止させるためのガバナの設置が義務付けられている。
【０００３】
一般に前記ガバナは、前記乗かごと連動して移動するガバナロープが巻掛けられる軸支されたガバナプーリと、このガバナプーリとともに回転し所定以上の回転速度になると遠心力により復帰用付勢体の復帰力に抗して前記ガバナプーリの外径側に変位する振子と、この振子の変位が第１の所定位置になったとき、すなわち前記乗かごが定格速度の１．３倍に達したときの前記振子の位置で、前記振子と衝突しモータ電流を遮断して前記乗かごを制動する接点と、前記振子の変位が第２の所定位置になったとき、すなわち前記乗かごが定格速度の１．４倍に達したときの前記振子の位置で前記振子と衝突可能な位置に設置される保持体と、この保持体により保持されるとともに、前記振子と前記保持体との衝突による開放に応じて前記ガバナロープを把持し非常止め装置を動作させるウェートとを備えるとともに、定期的に行われる動作速度試験が義務付けられている。
【０００４】
従来、一般的な動作速度試験として、まず、作業員が回転速度計（タコメータ）を用いて動作速度を測定するものがある。測定に際しては、前記ガバナを前記乗かごと無関係にして駆動し、前記乗かごが定格速度を超えた場合と同じ条件を与えるものであり、その方法として、前記ガバナプーリから前記ガバナロープを外し、手動又は電動で前記ガバナプーリを回転させ、前記回転速度計により動作速度を測定するものや、前記ガバナロープと前記乗かごとの結合を外し、前記ガバナロープに錘を付けて落下させ、前記回転速度計により動作速度を測定するものがある。
【０００５】
また、従来、前記ガバナプーリに巻掛けられた前記ガバナロープを緩ませるとともに、錘を落下させ、この落下による駆動用ローラの回転力で前記ガバナプーリを回転させ、回転速度計により動作速度を測定するガバナ動作速度測定装置を設けたエレベーターも提案されている（例えば、特許文献１参照）。
【特許文献１】特開平８−１８８３５４号公報
【発明の開示】
【発明が解決しようとする課題】
【０００６】
しかしながら、前述した作業員が回転速度計（タコメータ）を用いて動作速度を測定するものでは、ガバナロープ自重およびこのガバナロープに張力を与えるガバナテンションプーリの重さが掛かる前記ガバナロープをガバナプーリから外す作業が必要であり、労力を要するとともに、少なくともガバナを駆動する作業員と回転速度計により動作速度を測定する作業員との２人が必要であり、人件費の増加を招くという問題があった。
【０００７】
また、比較的複雑な構造を有するガバナ動作速度測定装置をエレベーターに設けるものは、設置費の増加を招くという問題があった。
【０００８】
本発明は、前述した従来技術における実状からなされたもので、その目的は、容易に動作速度試験を行うことのできるエレベーター用ガバナを提供することにある。
【課題を解決するための手段】
【０００９】
前記目的を達成するために、本発明の請求項１に係る発明は、乗かごと連動して移動するガバナロープが巻掛けられる軸支されたガバナプーリと、このガバナプーリとともに回転し所定以上の回転速度になると遠心力により復帰用付勢体の復帰力に抗して前記ガバナプーリの外径側に変位する振子と、この振子の変位が第１の所定位置になったとき、前記振子と衝突しモータ電流を遮断して前記乗かごを制動する接点と、前記振子の変位が第２の所定位置になったとき前記振子と衝突可能な位置に設置される保持体と、この保持体により保持されるとともに、前記振子と前記保持体との衝突による開放に応じて前記ガバナロープを把持し非常止め装置を動作させるウェートとを備えたエレベーター用ガバナにおいて、前記振子に、回転外周方向に移動可能な錘を備え、この錘の位置を動作速度試験時に回転外周側に位置させることにより、あらかじめ定められる所定の乗かご速度以下で前記振子を前記第１の所定位置および前記第２の所定位置に変位可能としたことを特徴としている。
【００１０】
このように構成した本発明の請求項１に係る発明は、ガバナの動作速度試験時に、前記振子に備えられた前記錘を回転外周側に位置し、この状態で前記乗かごを走行することにより前記振子に作用する遠心力を増大させ、あらかじめ定められる所定の乗かご速度以下で前記振子を前記第１の所定位置および前記第２の所定位置に変位させる。作業者はこのときの動作速度を一般的に設けられている速度表示機能で確認することにより良否を判断する。これにより従来のように前記ガバナプーリから前記ガバナロープを外す等の煩雑な作業を要することなく、前記乗かごを定常速度で走行させることにより、１人でガバナの動作速度試験を行うことができる。
【００１１】
また、本発明の請求項２に係る発明は、乗かごと連動して移動するガバナロープが巻掛けられる軸支されたガバナプーリと、このガバナプーリとともに回転し所定以上の回転速度になると遠心力により復帰用付勢体の復帰力に抗して前記ガバナプーリの外径側に変位する振子と、この振子の変位が第１の所定位置になったとき、前記振子と衝突しモータ電流を遮断して前記乗かごを制動する接点と、前記振子の変位が第２の所定位置になったとき前記振子と衝突可能な位置に設置される保持体と、この保持体により保持されるとともに、前記振子と前記保持体との衝突による開放に応じて前記ガバナロープを把持し非常止め装置を動作させるウェートとを備えたエレベーター用ガバナにおいて、前記振子に、着脱可能な錘を備え、この錘を装着することにより、あらかじめ定められる所定の乗かご速度以下で前記振子を前記第１の所定位置および前記第２の所定位置に変位可能としたことを特徴としている。
【００１２】
このように構成した本発明の請求項２に係る発明は、ガバナの動作速度試験時に、前記振子に錘を装着し、この状態で前記乗かごを走行することにより前記振子に作用する遠心力を増大させ、あらかじめ定められる所定の乗かご速度以下で前記振子を前記第１の所定位置および前記第２の所定位置に変位させる。作業者はこのときの動作速度を一般的に設けられている速度表示機能で確認することにより良否を判断する。これにより従来のように前記ガバナプーリから前記ガバナロープを外す等の煩雑な作業を要することなく、前記乗かごを定常速度で走行させることにより、１人でガバナの動作速度試験を行うことができる。
【００１３】
さらに、本発明の請求項３に係る発明は、動作速度試験時に装着され、前記保持体の開放による前記ウェートの落下を阻む係止体を設け、前記非常止め装置の動作を阻止することを特徴としている。
【００１４】
このように構成した本発明の請求項３に係る発明は、動作速度試験時に前記保持体の開放による前記ウェートの落下を阻む係止体を装着することにより、前記振子が前記第２の所定位置に変位し前記保持体と衝突して前記ウェートの保持を開放しても、前記非常止め装置の動作が阻止される。これによって、前記ガバナロープと前記非常止め装置との連結を外すことなくガバナの動作速度試験を行うことができる。
【発明の効果】
【００１５】
本発明によれば、ガバナプーリからガバナロープを外したり、前記ガバナロープと非常止め装置との連結を外したりすることなく、乗かごを定常速度で走行させることにより１人でガバナの動作速度試験を行うことができることから、試験に要する労力および人件費の低減を図ることができる。また、振子に錘を設けたり、装着したりするという簡易な構造であることから、装置を安価なものとすることができる。
【発明を実施するための最良の形態】
【００１６】
以下、本発明に係るエレベーター用ガバナの実施の形態を図に基づいて説明する。
【００１７】
図１は本発明のエレベーター用ガバナの第１の実施形態を示す正面図、図２はガバナが設けられるエレベーターの概略構成図である。
【００１８】
エレベーターの乗かご１は図２に示すように、ガイドレール２に沿って昇降路３内を移動し、一端が乗かご１に連結されるとともに、他端がつり合いおもり４に連結される主ロープ５と、昇降路３上部の機械室６内に設定される巻上機７とを有する。巻上機７は主ロープ５を巻上げおよび巻下ろして、つり合いおもり４によって重量バランスを取りながら乗かご１を昇降駆動する。機械室６には乗かご１の異常増速を制御するガバナ８が設置される。ガバナ８には乗かご１の非常止め装置動作手段１ａに連結されたガバナロープ９が巻き掛けられ、ガバナロープ９下部には、ガバナロープ９に張力を与えるガバナテンションプーリ１０が設けられている。なお、エレベーターには一般的に乗かご１の昇降速度を表示する図示しない速度表示機能が備えられている。
【００１９】
また、ガバナ８は図１に示すように、ガバナロープ９が巻掛けられる軸支されたガバナプーリ８ａと、このガバナプーリ８ａとともに回転し所定以上の回転速度になると遠心力により復帰用付勢体、すなわちばね８ｂの復帰力に抗してガバナプーリ８ａの外径側に変位する一対の振子８ｄと、互いの振子８ｄを連結する連結リンク８ｃと、振子８ｄの変位が第１の所定位置になったとき、すなわち乗かご１が定格速度の１．３倍に達したときの振子８ｄの位置で振子８ｄと衝突しモータ電流を遮断して乗かご１を制動する接点８ｅと、振子８ｄの変位が第２の所定位置になったとき、すなわち乗かご１の定格速度の１．４倍に達したときの振子８ｄの位置で振子８ｄと衝突可能な位置に設置される保持体８ｇと、この保持体８ｇにより保持されるとともに、振子８ｄと保持体８ｇとの衝突による開放に応じてガバナロープ９を把持してガバナロープ９に制動をかけ、ガバナロープ９に連結された動作レバー１ｂを引き上げて非常止め装置を動作させるウェート８ｆと、振子８ｄに設けられ、回転外周方向に移動可能な錘８ｈと、錘８ｈを固定する固定ねじ８ｉと、動作速度試験時に装着され、保持体８ｇの開放によるウェート８ｆの落下を阻む係止体８ｋとを備えている。
【００２０】
第１の実施形態のエレベーター用ガバナでは、ガバナの動作速度試験を行う際、作業者は、振子８ｄに備えられた錘８ｈを図中矢印Ａに示すように回転外周側に位置させ固定ねじ８ｉにより固定するとともに、ブレーキの制御回路を短絡させ、かつ、係止体８ｋを装着する。次いで、作業者は、機械室６に設けられたエレベーター制御盤１０により運転指令を出力して乗かご１を定常速度にて走行させる。このとき錘８ｈは前述したように回転外周側に位置していることから振子８ｄに作用する遠心力は増大する。すなわち、振子８ｄに作用する遠心力Ｆは、振子８ｄの質量をｍ、回転速度をｖ、振子重心の回転半径をｒとすると、Ｆ＝ｍ・ｖ２/ｒの関係にあり、重心位置を外周側に移動することにより、重心部の回転速度ｖが上がり、これに伴い遠心力Ｆが増大する。これに応じて乗かご１の速度があらかじめ定められる所定の速度より低い一定の速度に達すると、振子８ｄは第１の所定位置となり接点８ｅと衝突するとともに、さらに乗かご１の速度が上昇し、あらかじめ定められる所定の速度より低い一定の速度に達すると、振子８ｄは第２の所定位置となり保持体８ｇと衝突してウェート８ｆが開放される。このとき作業者は、前述した速度表示機能により動作速度を確認するとともに、ガバナ８に貼り付けられた銘板８ｊに記録された値と測定値とを比較して良否の判定を行う。すなわち、銘板８ｊには、錘８ｈを中心側に位置させたときの動作速度、錘８ｈを回転外周側に位置させたときの動作速度、および許容値がガバナ制動検査時に付されている。なお、振子８ｄが接点８ｅに衝突しても前述したようにブレーキの制御回路は短絡されていることからブレーキが動作することはないとともに、ウェート８ｆが開放されても係止体８ｋによりウェート８ｆの落下が阻まれることから非常止め装置が動作することはない。ガバナの動作速度試験終了後、作業者は、固定ねじ８ｉを一旦緩め、錘８ｈをガバナプーリ８ａの中心側に位置させ、この状態で再び固定ねじ８ｉにより固定するとともに、係止体８ｋを外し、通常走行状態とする。
【００２１】
このように構成した第１の実施形態によれば、ガバナプーリ８ａからガバナロープ９を外したり、ガバナロープ９と非常止め装置との連結を外したりすることなく、乗かご１を定常速度で走行させることにより１人でガバナの動作速度試験を行うことができることから、試験に要する労力および人件費の低減を図ることができる。また、振子８ｄに錘８ｈを設けるという簡易な構造であることから、装置を安価なものとすることができる。
【００２２】
図３は本発明のエレベーター用ガバナの第２の実施形態を示す正面図である。なお、前述した図１に示すものと同等のものには同一符号が付してある。すなわち、８はガバナ、８ａはガバナプーリ、８ｂはばね、８ｃは連結リンク、８ｄは振子、８ｅは接点、８ｆはウェート、８ｇは保持体、８ｋは係止体、８ｊは銘板である。
【００２３】
第２の実施形態のエレベーター用ガバナは図３に示すように、振子８ｄに、着脱可能な錘８Ｌと、この錘８Ｌを固定する固定ねじ８ｍとを備えており、ガバナの動作速度試験を行う際に錘８Ｌを装着するとともに固定ねじ８ｍで固定することにより、振子８ｄに作用する遠心力を増大させ、あらかじめ定められる所定の速度以下で振子８ｄを前述した第１の所定位置および第２の所定位置に変位可能とし、第１の実施形態と同様の効果を得ることができる。また、着脱式の錘８Ｌとすることにより、乗かご１の通常走行時に振子８ｄに作用する遠心力が過剰に増大してガバナが誤作動する故障を確実に防止することができる。
【図面の簡単な説明】
【００２４】
【図１】本発明のエレベーター用ガバナの第１の実施形態を示す正面図である。
【図２】ガバナが設けられるエレベーターの概略構成図である。
【図３】本発明のエレベーター用ガバナの第２の実施形態を示す正面図である。
【符号の説明】
【００２５】
１  乗かご
５  主ロープ
７  巻上機
８  ガバナ
８ａ  ガバナプーリ
８ｂ  ばね
８ｃ  連結リンク
８ｄ  振子
８ｅ  接点
８ｆ  ウェート
８ｇ  保持体
８ｈ  錘
８ｉ  固定ねじ
８ｋ  係止体
８Ｌ  錘
８ｍ  固定ねじ
【図１】
2006327708.tif 000003
【図２】
2006327708.tif 000004
【図３】
2006327708.tif 000005